(57)【要約】【課題】内面に汚れ防止用フィルムが剥離可能に貼合されたウェッブコーナー型紙容器において、使用後に、組み立てた状態のままで、誰もが、容易に、かつ、確実に汚れ防止用フィルムを剥がすことが可能なウェッブコーナー型紙容器を提供することにある。【解決手段】本発明は、板紙に剥離可能な汚れ防止用フィルムを貼合した積層体を材料とし、ウェッブコーナー部を側板の外側に折り込んで外面に貼り合せて固定してなるウェッブコーナー型紙容器であって、ウェッブコーナー部を外面に貼り合せた側板以外の側板、あるいは、ウェッブコーナー部を外面に貼り合せた側板以外の側板に延長片を連設し、該延長片に、貼合された前記汚れ防止用フィルムを剥がし始める部位を示す剥離開始表示を設けたことを特徴とするものであり、この剥離開始表示が、印刷、あるいは、エンボスで設けられていることを特徴とするものである。【選択図】図１
2005329989.tif 000002
【特許請求の範囲】
【請求項１】
板紙に剥離可能な汚れ防止用フィルムを貼合した積層体を材料とし、多角形状の底板の各辺にそれぞれ折れ線を介してそれぞれ側板を連設し、該側板の両側辺にそれぞれ折れ線を介して折り込み片を連設し、隣接する前記折り込み片同士が前記底板の隅から放射状に外方向に伸びる放射状折れ線を介して連結されたウェッブコーナー部を形成し、該ウェッブコーナー部を前記側板の外側に折り込んで外面に貼り合せて固定してなるウェッブコーナー型紙容器であって、
前記ウェッブコーナー部を外面に貼り合せた前記側板以外の側板に、貼合された前記汚れ防止用フィルムを剥がし始める部位を示す剥離開始表示を設けたことを特徴とするウェッブコーナー型紙容器。
【請求項２】
前記剥離開始表示が、前記側板の上縁部に印刷で設けられていることを特徴とする請求項１に記載のウェッブコーナー型紙容器。
【請求項３】
前記剥離開始表示が、前記側板の上縁部にエンボスで設けられていることを特徴とする請求項１に記載のウェッブコーナー型紙容器。
【請求項４】
板紙に剥離可能な汚れ防止用フィルムを貼合した積層体を材料とし、多角形状の底板の各辺にそれぞれ折れ線を介してそれぞれ側板を連設し、該側板の両側辺にそれぞれ折れ線を介して折り込み片を連設し、隣接する前記折り込み片同士が前記底板の隅から放射状に外方向に伸びる放射状折れ線を介して連結されたウェッブコーナー部を形成し、該ウェッブコーナー部を前記側板の外側に折り込んで外面に貼り合せて固定してなるウェッブコーナー型紙容器であって、
前記ウェッブコーナー部を外面に貼り合せた前記側板以外の側板に延長片を連設し、該延長片に、貼合された前記汚れ防止用フィルムを剥がし始める部位を示す剥離開始表示を設けたことを特徴とするウェッブコーナー型紙容器。
【請求項５】
前記剥離開始表示が、前記側板の上縁部に印刷で設けられていることを特徴とする請求項４に記載のウェッブコーナー型紙容器。
【請求項６】
前記剥離開始表示が、前記側板の上縁部にエンボスで設けられていることを特徴とする請求項４に記載のウェッブコーナー型紙容器。
【請求項７】
前記ウェッブコーナー部を外面に貼り合せた前記側板の上辺から下辺の両端まで斜め折れ線が設けられていることを特徴とする請求項１乃至６のいずれかに記載のウェッブコーナー型紙容器。
【発明の詳細な説明】
【技術分野】
【０００１】
本発明は、リサイクルに対応した液漏れ防止機能のあるウェッブコーナー型紙容器に関するものである。
【背景技術】
【０００２】
従来、揚げたてのフライドチキン等、たれ、肉汁、ソース類等を伴う調理食品、冷凍食品等の紙容器には、四隅からの油、調味料、肉汁等の液漏れを防止するように四隅を４隅を外側に折り込んだウェッブ（みずかき）コーナー型の紙容器が使用されている。このウェッブコーナー型紙容器では、４隅を外側に折り込んだウェッブコーナー部は、紙容器の側板の外面に貼り合わされて固定されている。
【０００３】
調味料や油が付着した食品、煮汁のでる食品、あるいは電子レンジ調理冷凍食品用としては、一般に紙とその内面にコートされたポリエチレン等の汚れ防止用フィルムからなる積層体を材料とするウェッブコーナー型紙容器が使用されており、この汚れ防止フィルムによって、紙面に内容物が付着したり、あるいは内容物が紙面に付着したものにより汚染されることを防止している。
【０００４】
また、近年、環境問題が大きな問題となっており、自然環境を守ろうとする意識が高まっている。特に、廃棄物の処理の問題は大きく、出来るだけ材料を少なく使用する省資源化、そして資源の再使用であるリサイクル等での対応が、求められている。このような背景のもとに、包装に使用される容器を廃棄する時には出来るだけ材料を紙とプラスチック等のように分別することが望まれている。
【０００５】
この環境問題に対応して、廃棄時にウェッブコーナー型紙容器を紙と汚れ防止フィルムに分離してその紙を再資源化するために、紙製のウェッブコーナー型紙容器の内面に、汚れ防止用フィルムが剥離可能に貼合された積層体を材料とした形態が提案されている。しかし、このような形態のウェッブコーナー型紙容器においても、消費者は内容物である食品を食した後、汚れ防止用フィルムを引き剥がさずに廃棄する場合が少なくなかった。この剥離可能な汚れ防止用フィルムを消費者が引き剥がしたくなるように汚れ防止用フィルムの裏面にくじ情報を印刷したウェッブコーナー型紙容器も提案されている（例えば、特許文献１参照。）。
【特許文献１】登録実用新案第３０８４５３４号公報
【発明の開示】
【発明が解決しようとする課題】
【０００６】
しかしながら、従来のウェッブコーナー型紙容器では、使用した後に剥離可能な汚れ防止用フィルムを剥がす方法が定まっていないため、剥がし始めが分かりにくく、剥がし方によっては途中で汚れ防止用フィルムが切れる等して、汚れ防止用フィルムを剥がし損なうことが少なくなかった。また、うまく剥がそうとしても、特に汚れ防止用フィルムが強く接着されていると、剥がし損なうことが多かった。
【０００７】
本発明は、内面に汚れ防止用フィルムが剥離可能に貼合されたウェッブコーナー型紙容器において、使用後に、組み立てた状態のままで、誰もが、容易に、かつ、確実に汚れ防止用フィルムを剥がすことが可能なウェッブコーナー型紙容器を提供することを目的とするものである。
【課題を解決するための手段】
【０００８】
前記課題を解決するためになされた本発明は、板紙に剥離可能な汚れ防止用フィルムを貼合した積層体を材料とし、多角形状の底板の各辺にそれぞれ折れ線を介してそれぞれ側板を連設し、該側板の両側辺にそれぞれ折れ線を介して折り込み片を連設し、隣接する前記折り込み片同士が前記底板の隅から放射状に外方向に伸びる放射状折れ線を介して連結されたウェッブコーナー部を形成し、該ウェッブコーナー部を前記側板の外側に折り込んで外面に貼り合せて固定してなるウェッブコーナー型紙容器であって、前記ウェッブコーナー部を外面に貼り合せた前記側板以外の側板、あるいは、前記ウェッブコーナー部を外面に貼り合せた前記側板以外の側板に延長片を連設し、該延長片に、貼合された前記汚れ防止用フィルムを剥がし始める部位を示す剥離開始表示を設けたことを特徴とするウェッブコーナー型紙容器であり、前記剥離開始表示が、前記側板の上縁部に印刷、あるいは、エンボスで設けられていることを特徴とするものである。また、前記ウェッブコーナー部を外面に貼り合せた前記側板の上辺から下辺の両端まで斜め折れ線が設けられていることを特徴とするものである。
【発明の効果】
【０００９】
本発明によれば、内面に汚れ防止用フィルムが剥離可能に貼合されたウェッブコーナー型紙容器において、ウェッブコーナー部を外側に折り込んで外面に貼り合せて固定していない側板の上縁の略中央部に、内面に貼合された汚れ防止用フィルムを剥がし始める部位を示す剥離開始表示を設けることにより、消費者は本発明のウェッブコーナー型紙容器を使用した後に、このウェッブコーナー部を外側に折り込んで外面に貼り合せて固定していない側板に設けられた剥離開始表示から汚れ防止用フィルムを剥がすことにより、組み立てた状態のまま、誰もが、容易に、かつ、確実に汚れ防止用フィルムを剥がすことができるという効果を有している。また、剥離開始表示を点字等のエンボスで設けることによって、視覚障害者も汚れ防止用フィルムを剥がし始める部位を認識することができという効果を有している。
【００１０】
また、汚れ防止用フィルムの接着強度や接着面積に影響されずに容易に剥がせるという効果を有している。
【００１１】
さらに、ウェッブコーナー部が外側に折り込んで外面に貼り合わされている対向する一対の側板に、上辺から下辺の両端に至る二本の斜め折れ線をそれぞれ設け、本発明のウェッブコーナー型紙容器を使用した後に、汚れ防止用フィルムを剥離開始表示の部分から剥がす時、この斜め折れ線で側板を外側に膨らむように折り曲げることにより、汚れ防止用フィルムをウェッブコーナー型紙容器からより容易に剥がすことができるという効果を有するものである。
【発明を実施するための最良の形態】
【００１２】
以下、本発明のウェッブコーナー型紙容器の実施形態について、図面に基づいて詳細に説明する。図１は本発明のウェッブコーナー型紙容器の一実施形態を示す斜視図であり、図２は本発明のウェッブコーナー型紙容器を使用後に処理する方法を説明する部分拡大図であり、図３は図１の本発明のウェッブコーナー型紙容器のブランクを示す展開図であり、図４は本発明のウェッブコーナー型紙容器の別の実施形態を示す斜視図であり、図５は本発明のウェッブコーナー型紙容器のさらに別の実施形態を示す斜視図であり、図６は本発明のウェッブコーナー型紙容器のさらに別の実施形態を示す斜視図であり、図７は本発明のウェッブコーナー型紙容器のさらに別の実施形態を示す斜視図であり、図８は図７の本発明のウェッブコーナー型紙容器のブランクを示す展開図であり、図９は本発明のウェッブコーナー型紙容器のさらに別の実施形態を示す斜視図であり、図１０は図９の本発明のウェッブコーナー型紙容器のブランクを示す展開図であり、図１１は本発明のウェッブコーナー型紙容器のさらに別の実施形態を示す斜視図であり、そして、図１２は本発明のウェッブコーナー型紙容器の組み立て工程を説明する部分拡大図である。
【００１３】
図１は、本発明によるウェッブコーナー型紙容器の一実施形態を示す斜視図である。本発明によるウェッブコーナー型紙容器Ａは、内面に汚れ防止用フィルムが剥離可能に貼合されており、図１に示すように、外見形状は、概ね通常のウェッブコーナー型紙容器と同様であり、矩形の底板１１の一対の対向する辺から側板１２、１２が、もう一対の対向する辺から側板１３、１３が起立し、対向する一対の側板１２、１２の一つの側板１２の上辺には蓋板１６および差し込み片１７を連設し、他の対向する一対の側板１３、１３にはそれぞれ補強片１８、１８を設けている。また、隣接した側板同士をウェッブコーナー部Ｗで連結し、そのウェッブコーナー部Ｗを外側に折り込んで対向する一対の側板１３、１３側に折り曲げ、側板１３、１３の外面に貼り合せて固定している。
【００１４】
さらに、本発明によるウェッブコーナー型紙容器Ａでは、ウェッブコーナー部Ｗを外側に折り込んで外面に貼り合せて固定していない対向する一対の側板１２、１２の一つの側板１２の上縁の略中央部に内面に貼合された汚れ防止用フィルムを剥がし始める部位を示す剥離開始表示Ｐを印刷で設けている。この剥離開始表示Ｐを設けることにより、消費者は本発明のウェッブコーナー型紙容器Ａを使用した後に、このウェッブコーナー部Ｗを外側に折り込んで外面に貼り合せて固定していない一つの側板１２の剥離開始表示Ｐから汚れ防止用フィルムを剥がすことにより、誰もが、容易に、かつ、確実に汚れ防止用フィルムを剥がすことができる。
【００１５】
このウェッブコーナー部Ｗを外側に折り込んで外面に貼り合せて固定していない一つの側板１２から汚れ防止用フィルムを剥がすことにより、容易に、かつ確実に汚れ防止用フィルムを剥がすことができる理由としては、ウェッブコーナー部Ｗを外側に折り込んで外面に貼り合せて固定している側板１３の上縁から汚れ防止用フィルムＦを剥がし始めた場合、図２−ａに示すように、コーナー部Ｋでの抵抗する力が大きく汚れ防止用フィルムＦが切れてしまうことが多いのに比べて、一つの側板１２の上縁から汚れ防止用フィルムＦを剥がし始めた場合、図２−ｂに示すように、ウェッブコーナー部Ｗの内面が剥がれることによりコーナー部Ｋでの抵抗する力が小さく汚れ防止用フィルムＦが切れることがなく確実に剥がすことができる。
【００１６】
図３は、本発明のウェッブコーナー型紙容器のブランクを示す展開図である。ブランク１０Ａは、矩形の底板１１の上下に一対の対向する辺に折れ線ａ、ａを介して側板１２、１２を設け、左右にもう一対の対向する辺に折れ線ｂ、ｂを介して側板１３、１３を設けている。側板１２、１２の両側辺には放射状折れ線ｃ、ｃ、ｃ、ｃを介してそれぞれ三角形の折り込み片１４、１４、１４、１４を連設し、側板１３、１３の両側辺には放射状折れ線ｄ、ｄ、ｄ、ｄを介してそれぞれ三角形の折り込み片１５、１５、１５、１５を連設し、隣接する折り込み片同士を放射状折れ線ｅで連設し、この折り込み片同士を連接した部分をウェッブコーナー部Ｗとしている。また、対向する一対の側板１２、１２の一つに側板１２の上辺には折れ線ｆを介して蓋板１６を連設し、その蓋板１６の上辺には折れ線ｇを介して差し込み片１７を連設し、他の対向する一対の側板１３、１３の外側の辺には折れ線ｈ、ｈを介してそれぞれ補強片１８、１８を連設している。この補強片１８、１８は必ずしも設ける必要はないが、保形性をよくするために設けることが好ましい。
【００１７】
さらに、本発明によるウェッブコーナー型紙容器Ａでは、ウェッブコーナー部Ｗを外側に折り込んで外面に貼り合せて固定していない一方の側板１２の上縁の略中央部の表面に内面に貼合された汚れ防止用フィルムを剥がし始める部位を示す剥離開始表示Ｐを印刷で設けている。この剥離開始表示Ｐは、図に示すように、「はがす」という文字と矢印を印刷で設けている。これは一例を示したもので、剥離開始を指示する表示であればよく、例えば、矢印のみ、指の図等でもよい。設ける位置は、ウェッブコーナー部Ｗを外側に折り込んで外面に貼り合せて固定していない一方の側板１２の上縁の略中央部の表面でも裏面でもよい。
【００１８】
図４は、本発明によるウェッブコーナー型紙容器の別の実施形態を示す斜視図である。本発明によるウェッブコーナー型紙容器Ａ′は、ウェッブコーナー型紙容器Ａと同一のブランク１０から組み立てることができ、内面に汚れ防止用フィルムが剥離可能に貼合されており、矩形の底板１１の一対の対向する辺から側板１２、１２が、もう一対の対向する辺から側板１３、１３が起立し、対向する一対の側板１２、１２の一つの側板１２の上辺には蓋板１６および差し込み片１７を連設し、他の対向する一対の側板１３、１３にはそれぞれ補強片１８、１８を設けている。また、隣接した側板同士をウェッブコーナー部Ｗで連結し、そのウェッブコーナー部Ｗを外側に折り込んで蓋板１６を連設している側板１２の外面と側板１３、１３の外面に貼り合せて固定している。
【００１９】
さらに、本発明によるウェッブコーナー型紙容器Ａ′では、ウェッブコーナー部Ｗを外側に折り込んで外面に貼り合せて固定していない側板１２の上縁の略中央部に内面に貼合された汚れ防止用フィルムを剥がし始める部位を示す剥離開始表示Ｐを印刷等で設けている。この剥離開始表示Ｐを設けることにより、消費者は本発明のウェッブコーナー型紙容器Ａ′を使用した後に、このウェッブコーナー部Ｗを外側に折り込んで外面に貼り合せて固定していない側板１２の剥離開始表示Ｐから汚れ防止用フィルムを剥がすことにより、誰もが、容易に、かつ、確実に汚れ防止用フィルムを剥がすことができる。このウェッブコーナー型紙容器Ａ′の形態では、ウェッブコーナー部Ｗを外側に折り込んで外面に貼り合せて固定していない側板１２から汚れ防止用フィルムを剥がし始めて、この側板１２に隣接するウェッブコーナー部Ｗの汚れ防止用フィルムを剥がすことが容易にでき、さらに、蓋板１６を連設している側板１２の外面に貼り合せたウェッブコーナー部Ｗにおいても、汚れ防止用フィルムをより容易に剥がすことができる。
【００２０】
図５は、本発明によるウェッブコーナー型紙容器の別の実施形態を示す斜視図である。本発明によるウェッブコーナー型紙容器Ｂは、ウェッブコーナー型紙容器Ａと同様の形状であり、そして、図５に示すように、対向する一対の側板１２、１２の一つの側板１２の上縁の略中央部に内面に貼合された汚れ防止用フィルムを剥がし始める部位を示す剥離開始表示Ｐをエンボスにより設けている。この剥離開始表示Ｐは、図に示すように、矢印をエンボスで設けている。これは一例を示したもので、視覚あるいは触覚により剥離開始を指示する表示であればよく、例えば、点字による表示等でもよい。この剥離開始表示Ｐを設けることにより、ウェッブコーナー型紙容器Ａと同様に、消費者は本発明のウェッブコーナー型紙容器Ｂを使用した後に、この剥離開始表示Ｐから汚れ防止用フィルムを剥がすことにより、組み立てた状態のまま、誰もが、容易に、かつ、確実に剥がすことができる。
【００２１】
図６は、本発明によるウェッブコーナー型紙容器のさらに別の実施形態を示す斜視図である。本発明によるウェッブコーナー型紙容器Ｃは、上記のウェッブコーナー型紙容器Ａ、Ｂの形状に加えて、ウェッブコーナー部Ｗを外側に折り込んで外面に貼り合せて固定していない側板１３、１３に延長片１８、１８を設けている。そして、その延長片１８の上辺あるいは上部に剥離開始手段Ｐをそれぞれ設けている。この剥離開始手段Ｐとしては、上記のウェッブコーナー型紙容器Ａ、Ｂと同様に、印刷、エンボス等で設けることができる。
【００２２】
図７−ａは、本発明によるウェッブコーナー型紙容器のさらに別の実施形態を示す斜視図である。本発明によるウェッブコーナー型紙容器Ｄは、ウェッブコーナー型紙容器Ａと同様に、内面に汚れ防止用フィルムが剥離可能に貼合されており、矩形の底板１１の一対の対向する辺から側板１２、１２が、もう一対の対向する辺から側板１３、１３が起立し、対向する一対の側板１２、１２の一つの側板１２の上辺には蓋板１６および差し込み片１７を連設し、他の対向する一対の側板１３、１３にはそれぞれ補強片１８、１８を設けている。また、隣接した側板同士をウェッブコーナー部Ｗで連結し、そのウェッブコーナー部Ｗを外側に折り込んで対向する一対の側板１３、１３側に折り曲げ、側板１３、１３の外面に貼り合せて固定している。
【００２３】
さらに、本発明によるウェッブコーナー型紙容器Ｄでは、図７−ａに示すように、対向する一対の側板１２、１２の一つの側板１２の上縁の略中央部に内面に貼合された汚れ防止用フィルムを剥がし始める部位を示す剥離開始表示Ｐを設けている上に、ウェッブコーナー部Ｗが外側に折り込んで外面に貼り合わされている側板１３、１３に、上辺から下辺の両端に至る二本の斜め折れ線ｘ、ｘををそれぞれ設けている。ウェッブコーナー型紙容器Ｄを使用した後に、汚れ防止用フィルムを剥離開始表示Ｐの部分から剥がす時、図２−ｂ、ｃ、ｄに示すように、汚れ防止用フィルムＦが側板１２から剥がれた後、ウェッブコーナー部Ｗの内側縁部を引っ張る。このため側板１３のウェッブコーナー部Ｗが貼られている部分が内側の方に折れまがり、ウェッブコーナー部Ｗの隙間Ｍは益々広がり、汚れ防止用フィルムＦが剥がれ易くなる。その時、ウェッブコーナー部Ｗが貼られている側板１３に斜め折れ線ｘ、ｘを設けておくことにより、側板１３のウェッブコーナー部Ｗが貼られている部分が内側方向により折り曲げ易くなり、スムースにウェッブコーナー部Ｗの内側に貼られている汚れ防止用フィルムＦを剥がすことができ、従って、より容易に、ウェッブコーナー型紙容器Ｄから汚れ防止用フィルムＦを剥がすことができる。
【００２４】
この斜め折れ線ｘ、ｘは、側板１３、１３の上辺から下辺の両端に至るように設けられるが、本例のように、側板１３の外面に貼り合わされているウェッブコーナー部Ｗの折り返し線である縁線ｗに沿った側板１３の位置に設けることが、ウェッブコーナー部Ｗの部分が折り曲がりやすく、ウェッブコーナー部Ｗの汚れ防止用フィルムを剥がしやすくなり、好ましい。また、図７−ｂに示すように、側板の略中央部から下辺の両端に至るように設けてもよく、この場合、ウェッブコーナー型紙容器の強度を低下させることが少ない。さらに、図７−ｃに示すように、貼り合わせたウェッブコーナー部Ｗに隠れた側板１３の位置に設けてもよく、この場合、外観上目立たなくなる。
【００２５】
図８は、本発明のウェッブコーナー型紙容器Ｃのブランクを示す展開図である。ブランク１０Ｄは、矩形の底板１１の上下に一対の対向する辺に折れ線ａ、ａを介して側板１２、１２を設け、左右にもう一対の対向する辺に折れ線ｂ、ｂを介して側板１３、１３を設けている。側板１２、１２の両側辺には放射状折れ線ｃ、ｃ、ｃ、ｃを介してそれぞれ三角形の折り込み片１４、１４、１４、１４を連設し、側板１３、１３の両側辺には放射状折れ線ｄ、ｄ、ｄ、ｄを介してそれぞれ三角形の折り込み片１５、１５、１５、１５を連設し、隣接する折り込み片同士を放射状折れ線ｅで連設し、この折り込み片同士を連接した部分をウェッブコーナー部Ｗとしている。また、対向する一対の側板１２、１２の一つの側板１２の上辺には折れ線ｆを介して蓋板１６を連設し、その蓋板１６の上辺には折れ線ｇを介して差し込み片１７を連設している。
【００２６】
また、本発明によるウェッブコーナー型紙容器Ｄでは、対向する一対の側板１２、１２の一つの側板１２の上縁の略中央部に内面に貼合された汚れ防止用フィルムを剥がし始める部位を示す剥離開始表示Ｐを設けている上に、ウェッブコーナー部Ｗが外側に折り込んで外面に貼り合わされている側板１３、１３に、上辺の略中央点から下辺の両端に至る二本の斜め折れ線ｘ、ｘををそれぞれ設けている。さらに、他の対向する一対の側板１３、１３の外側の辺には折れ線ｈ、ｈを介してそれぞれ補強片１８、１８を連設している。この形態の場合、斜め折れ線ｘ、ｘを設けた側板１３、１３の上辺には、組み立てた時の保形性をよくするために補強片１８、１８を設けることが好ましい。
【００２７】
なお、上記の形態では、ウェッブコーナー部Ｗを側板１３、１３の外側に折り込んで外面に貼り合わせているが、図９に示すウェッブコーナー型紙容器Ｅのように、ウェッブコーナー部Ｗを側板１２、１２の外側に折り込んで外面に貼り合わす形状としてもよく、その場合には、側板１３、１３に剥離開始表示Ｐを設け、斜め折れ線ｘ、ｘを側板１２、１２に設けることになる。図１０は、そのウェッブコーナー型紙容器Ｅのブランクを示す展開図である。
【００２８】
また、本発明によるウェッブコーナー型紙容器は、上記の実施形態例の記載に限定されることなく、本発明の要旨を逸脱しない範囲内で種々の変形が可能である。例えば、側板１２、１２、１３、１３の形状が上辺が広い台形としたトレー形状のウェッブコーナー型紙容器であるが、全側板を長方形とした直方体のウェッブコーナー型紙容器（図は省略する）としてもよい。
【００２９】
また、図１１に示すウェッブコーナー型紙容器Ｆのように、蓋板１６のない形状であってもよい。
【００３０】
本発明によるウェッブコーナー型紙容器の材料は、基材である板紙の内面に汚れ防止用フィルムが貼合された積層体を使用する。その板紙の範囲は広く、コートボール、マニラボール、ミルクカートン原紙、カップ原紙、段ボール等を使用することができる。坪量は紙容器のサイズによって変わるが、１５０〜４５０ｇ／ｍ2の範囲が好ましい。
【００３１】
また、汚れ防止用フィルムとしては、ポリエチレンフィルム、ポリプロピレンフィルム、ポリエステルフィルム、ポリアミドフィルム等を使用することができ、また、生分解性プラスチックフィルム（ポリ乳酸、ポリヒドロキシブチレート、ポリラクトカプトン、ポリブチレンサクシレート、ポリエチレンサクシネート、ポリビニルアルコール、酢酸セルロース等）も使用することができる。フィルムの選定に当たっては、公知の厚生省告示２０号告示に適合したフィルムを使用することが好ましい。
【００３２】
この汚れ防止用フィルムの貼り合わせは、剥離可能な接着剤を使用して剥離可能に貼合する方法、あるいは、ポリエチレン樹脂等を使用して押出しラミネートして貼合する方法等がある。さらには、熱シール、あるいは、公知のエマルジョン型、溶剤型、ホットメルト型の接着剤、粘着剤を使用して部分的に貼合する方法もある。
【００３３】
また、一般の紙容器と同様に、本発明のウェッブコーナー型Ａの表面には印刷が行われるが、オフセット、グラビア、フレキソ印刷等これまでに知られているいかなる方法を用いることができる。さらにオーバーコート、艶出し、エンボス等の後加工も自由に行うことができる。ただし、ウェッブコーナー部Ｗを貼り合せる部分はオーバーコート層等を除くことが好ましい。
【００３４】
つぎに、本発明のウェッブコーナー型紙容器Ａを作製する工程を説明する。この工程は、一般的なウェッブコーナー型紙容器を成形する工程と略同様であり、まず、紙と汚れ防止フィルムを貼り合せた積層体の表面、あるいは、表面および裏面に印刷、表面加工等を施す。この工程で、対向する一対の側板１２、１２の一つの側板１２の上縁の略中央部に内面に貼合された汚れ防止用フィルムを剥がし始める部位を示す剥離開始表示Ｐを設ける。つぎに、打ち抜き工程で、図３に示すようなブランク１０Ａに打ち抜く、この工程で、ウェッブコーナー型紙容器Ｂにおける対向する一対の側板１２、１２の一つの側板１２の上縁の略中央部に内面に貼合された汚れ防止用フィルムを剥がし始める部位を示す剥離開始表示Ｐをエンボスで設けることができる。さらに、この工程で、側板１３、１３に、上辺の略中央点から下辺の両端に至る二本の斜め折れ線ｘ、ｘを設けることもできる。
【００３５】
ついで、図１１−ａに示すように、各ウェッブコーナー部Ｗを放射状折れ線ｅで外側に折り込み、そして、図１１−ｂに示すように、このウェッブコーナー部Ｗを側板１３の側に折り曲げて、図１１−ｃに示すように、折り込み片１５を側板１３の外面に貼り合せる。この貼り合わせは、例えば、エマルジョン型接着剤、ホットメルト型接着剤等の周知の接着剤を使用して行うことができる。このように、各ウェッブコーナー部Ｗを側板１３、１３の外面に貼り合わせて固定して、ウェッブコーナー型紙容器Ａを製造することができる。また、ウェッブコーナー型紙容器Ａ′、Ｃ、Ｄ、Ｅ、Ｆもほぼ同様にして製造することができる。
【００３６】
このようにして作製した本発明によるウェッブコーナー型紙容器を使用した後、内面に貼り合わされた汚れ防止フィルムを剥がして紙と汚れ防止フィルムとに分別して紙を資源として再使用する。汚れ防止フィルムを剥がす方法は、まず、側板１２の剥離開始表示が設けられた部分から剥がし始める。つぎに、側板１２の部分を剥がした後、つづけて、ウェッブコーナーＷの部分を剥がす。この時、側板１２側から剥がすことによって、ウェッブコーナーＷの部分を容易に剥がすことができる。ついで、側板１３、１３の部分を剥がす。さらに、底板１１および残った側板１２の部分を剥がし、最後に、全体を剥がすことができる。
【図面の簡単な説明】
【００３７】
【図１】本発明のウェッブコーナー型紙容器の一実施形態を示す斜視図である。
【図２】本発明のウェッブコーナー型紙容器を使用後に処理する方法を説明する部分拡大図である。
【図３】図１の本発明のウェッブコーナー型紙容器のブランクを示す展開図である。
【図４】本発明のウェッブコーナー型紙容器の別の実施形態を示す斜視図である。
【図５】本発明のウェッブコーナー型紙容器のさらに別の実施形態を示す斜視図である。
【図６】本発明のウェッブコーナー型紙容器のさらに別の実施形態を示す斜視図である。
【図７】本発明のウェッブコーナー型紙容器のさらに別の実施形態を示す斜視図である。
【図８】図７の本発明のウェッブコーナー型紙容器のブランクを示す展開図である。
【図９】本発明のウェッブコーナー型紙容器のさらに別の実施形態を示す斜視図である。
【図１０】図９の本発明のウェッブコーナー型紙容器のブランクを示す展開図である。
【図１１】本発明のウェッブコーナー型紙容器のさらに別の実施形態を示す斜視図である。
【図１２】本発明のウェッブコーナー型紙容器の組み立て工程を説明する部分拡大図である。
【符号の説明】
【００３８】
Ａ〜Ｆ  本発明のウェッブコーナー型紙容器
１０Ａ  ブランク（ウェッブコーナー型紙容器Ａの）
１０Ｃ  ブランク（ウェッブコーナー型紙容器Ｃの）
１０Ｄ  ブランク（ウェッブコーナー型紙容器Ｄの）
１１    底板
１２    側板（上下）
１３    側板（左右）
１４    折り込み片
１５    折り込み片
１６    蓋板
１７    差し込み片
１８    補強片
１９    補強片
ａ、ｂ  折れ線
ｃ〜ｅ  放射状折れ線
ｆ〜ｉ  折れ線
Ｆ    汚れ防止フィルム
ｘ    斜め折れ線
Ｗ    ウェッブコーナー部
ｗ    縁線（ウェッブコーナー部）
Ｐ    剥離開始表示
Ｋ    コーナー部
【図１】
2005329989.tif 000003
【図２】
2005329989.tif 000004
【図３】
2005329989.tif 000005
【図４】
2005329989.tif 000006
【図５】
2005329989.tif 000007
【図６】
2005329989.tif 000008
【図７】
2005329989.tif 000009
【図８】
2005329989.tif 000010
【図９】
2005329989.tif 000011
【図１０】
2005329989.tif 000012
【図１１】
2005329989.tif 000013
【図１２】
2005329989.tif 000014